(57)【要約】【課題】釣人の好みの位置に容易に装着でき、また、安定性，使い心地にも優れる肘当てを提供する。【解決手段】この肘当て１０は、上面方向視において楕円型形状をなす板型部材であり、裏面に前記楕円の短径方向に湾曲面化され長径方向に伸びて凹入する装着面２が形成されたゴム素材からなる。この装着面２を元竿５の任意の周面に当てて、両面テープや接着剤等で肘当て１０を元竿５に装着する。【選択図】　　　図２
2004129529.tif 000002
【特許請求の範囲】
【請求項１】
釣竿を構成する竿体の周面に装着するため肘当てであって、
上面方向視において楕円型形状をなす板型部材であり、裏面に前記楕円の短径方向に湾曲面化され長径方向に伸びて凹入する装着面が形成されたゴム素材からなる肘当て。
【請求項２】
表面の短径方向中央付近に長径方向に伸びて凹入する窪みが形成されている、請求項１に記載の肘当て。
【請求項３】
魚釣りに用いる釣竿であって、
竿体と、
前記竿体の竿元側端部に装着された肘当てとを備え、
前記肘当ては、上面方向視において楕円型形状をなす板型部材であり、長径方向を前記竿体の軸方向として前記竿体周面に装着されており、その短径が前記竿体の最大径より大きく、裏面に短径方向に湾曲面化され長径方向に伸びて凹入する装着面が形成され、この装着面が前記竿体周面に当接しているゴム素材である、釣竿。
【発明の詳細な説明】
【０００１】
【発明の属する技術分野】
本発明は、魚釣りに用いる釣竿の竿元側に位置する竿体の周面に装着する肘当てに関する。
【０００２】
【従来の技術】
釣竿は、竿体と、竿体の竿元側に配置されリールを装着するためのリールシートと、竿体の周面に軸方向に間隔を隔てて配置される釣糸ガイド等とを有している。釣りを行う際には、釣人は、リールシートにリールを装着した上で、リール脚を指に挟み込みながら一方の手でリールシート付近を把持し、他方の手でリール操作を行いまたは竿体の竿元側端部を把持し、さらにはいずれかの手の肘を竿体周面に当てる等して釣りを行う。このため、従来の釣竿の中には、これらの部分にウレタンゴム等からなるグリップや肘当てなどを配置したものもある。
【０００３】
もっとも、釣人が釣竿を把持する場所や釣り操作のスタイルは個々別々であることから、予め所定位置に固定されている肘当ては必ずしも釣人のニーズに合致しない場合もある。このため、任意の場所にグリップや肘当てを装着して釣りを行い得るようにしたグリップ・肘当て片なども提供されている（特許文献１参照）。このグリップ片は、ポリイソプレン，ポリブタジエン等のゴムからなる弾性部材であり、接着剤や接着テープなどで竿体の周面の任意の位置に装着されることになる。
【０００４】
このようなグリップ・肘当て片は確かに釣人の好みの場所に装着できるが、十分な安定性を有するとは言えない面もある。特に、肘当ては釣人が把持し若しくは肘を当てる部分であり、大きな力がかかる部分であるので、竿体への装着を十分に安定させる必要がある。
また、従前の装着型グリップ・肘当て片は円筒型の竿体の周面の曲面に沿って装着されるものであり、肘当て等自体も竿体周面と同様に幅方向にあって曲面化してしまう。このため、肘当てとして従前の装着型部材を用いる場合、ユーザがその肘を肘当てに当てた際の「当て具合」が十分とはいえない。肘を当てる部分はある程度平面化している方が使い易い。
【０００５】
【特許文献１】
特開平１１−０４６６３４号公報（図２）
【０００６】
【発明が解決しようとする課題】
本発明の課題は、釣人の好みの位置に容易に装着でき、また、安定性，使い心地にも優れる肘当てを提供することにある。
【０００７】
【課題を解決するための手段】
発明１の肘当ては、釣竿を構成する竿体の周面に装着するための肘当てであって、上面方向視において楕円型形状をなす板型部材であり、裏面に楕円の短径方向に湾曲面化され長径方向に伸びて凹入する装着面が形成されたゴム素材からなる。
【０００８】
この肘当ては、その装着面に両面テープを貼付け若しくは接着剤等を塗布することで、釣竿の竿元側端部のユーザの任意の位置に装着される。そして、各ユーザの好みの箇所で肘を肘当てに当て得ることになる。また、凹入する装着面を介して円筒型の竿体の曲面に装着されることで、肘当ての安定性に優れる。また、装着面が凹入しており不要なゴミ等が両面テープ若しくは接着剤の塗布部分に侵入しにくく、肘当てが竿体から剥がれにくい。また、裏面の凹入する装着面を介して竿体の曲面に装着され、表面は平坦になり、ここに肘を安定した状態で当て得る。
【０００９】
発明２の肘当ては、発明１の肘当てであり、表面の短径方向中央付近に長径方向に伸びて凹入する窪みが形成されている。
表面に凹入する窪みが、この表面にユーザが肘を当てた際の肘の左右方向（肘当ての短径方向）への滑りを防止している。
発明３の釣竿は、竿体と、竿体の竿元側端部に装着された肘当てとを備える。この肘当ては、上面方向視において楕円型形状をなす板型部材であり、長径方向を竿体の軸方向として竿体周面に装着されており、その短径が竿体の最大径より大きく、裏面に短径方向に湾曲面化され長径方向に伸びて凹入する装着面が形成され、この装着面が前記竿体周面に当接しているゴム素材である。
【００１０】
この釣竿では、上述の発明１と同様に肘当てが安定して竿体に装着されると共に、肘当ての幅方向（短径方向）に十分な長さが確保されており、安定した状態で肘を肘当てに当てやすい。
【００１１】
【発明の実施の形態】
以下、本発明の実施形態について、図面を参照しつつ説明する。
本発明のある実施形態を採用した肘当て１０は、ウレタンゴム等の周知のゴム素材から構成され、図１（ａ）に示すように、上面方向視において楕円型形状をなす板型部材である。例えば、肘当て１０は、その長径方向に８０〜１００ｍｍ程度、短径方向に３０〜５０ｍｍ程度の長さが確保されている。この短径方向の長さは、後述する釣竿の元竿５の竿元側端部付近の外径より大きい。
【００１２】
肘当て１０の表面はおよそ平面化されているが、周縁ほどやや肉薄になるように面取りＸが施されている。また、表面には長径方向に伸びる凹溝１が形成されている。この凹溝１は短径方向に湾曲するように曲面化されており、この凹溝１の幅は１０〜１５ｍｍ程度である。
一方、図１（ｂ）に示すように、肘当て１０の裏面には、その楕円の短径方向に湾曲面化され長径方向に伸びて凹入する装着面２が形成されている。この装着面は肘当て１０の裏面側のおよそ全体にわたって形成されており、後述する釣竿の元竿５の外周曲面にあわせて設定されている（図２参照）。
【００１３】
この肘当て１０は、その裏面の装着面２に両面テープを貼付け、または必要に応じて接着剤等を塗布することで、釣竿の最も手元側に位置する元竿５の竿元側端部のユーザの任意の位置に装着される。図３に示すように、例えば、スピニングリール６をそのリールシート７に装着して釣りを行うような場合であれば、リールシート７の載置面と周方向に１８０度変位する周方向位置に肘当て１０を装着する。そして、肘当て１０を装着する軸方向位置は任意に設定して、各ユーザの好みの箇所に肘当て１０を装着する。
【００１４】
この肘当て１０は、凹入する装着面２を介して円筒型の元竿５の曲面に装着されるので、安定性、特に、元竿５の周方向の安定性に優れる。また、装着面２が凹入しており不要なゴミ等が両面テープ若しくは接着剤の塗布部分に侵入しにくく、肘当て１０が元竿５から剥がれにくい。
また、図２に示すように、裏面の凹入する装着面３を介して元竿５の外周面に装着されるので、肘当て１０の表面は平坦になり、且つ、肘当て１０の幅（短径方向長さ）が元竿５の径より幅広で左右方向に広がっているので、肘を安定した状態で当て易い。さらに、肘を肘当て１０の表面に当てた際に、表面の凹溝１が肘の左右方向（短径方向）への滑り止め効果を向上させている。
【００１５】
［他の実施形態］
（ａ）変形例を図４に示す。この肘当て２０も、上記実施形態に示したものと同様に、裏面に凹入する装着面を有する。表面は平面化されており、その表面には複数の凹穴が、滑り止め用に形成されている。
（ｂ）さらに別の変形例を図５に示す。この肘当て３０は、元竿５の軸方向に長い矩形型であり、上記実施形態と同様に、裏面に凹入する装着面を有する。表面は平面化されており、その幅方向の長さは、後述する釣竿の元竿５の竿元側端部付近の外径より大きい。
【００１６】
【発明の効果】
本発明の肘当ては、釣人が好みの位置に安定した状態で装着できる。また、肘を当て易い。
【図面の簡単な説明】
【図１】本発明の一実施形態を採用した肘当て１０の表面の上面方向視図（ａ）及び、裏面図（ｂ）。
【図２】図１の肘当て１０を元竿５に装着した状態を示した断面図。
【図３】図１の肘当て１０を元竿５に装着した状態を示した図。
【図４】本発明の他の実施形態を採用した肘当て２０を示した図。
【図５】本発明のさらに別の実施形態を採用した肘当て３０を示した図。
【符号の説明】
１０、２０，３０　肘当て
１　凹溝
２　装着面
５　元竿
【図１】
2004129529.tif 000003
【図２】
2004129529.tif 000004
【図３】
2004129529.tif 000005
【図４】
2004129529.tif 000006
【図５】
2004129529.tif 000007